(57)【特許請求の範囲】
【請求項１】
胴部材と底部材とからなり、上方を開口した逆円錐台形状の紙カップ本体の糸じり部の外面部および下端部にアルミテープを貼着して電子レンジ用紙カップを製造する方法であって、
前記アルミテープは、少なくともアルミニウム層、最内層の粘着剤層からなり、かつ、該粘着剤層には剥離紙が貼り合わされており、前記糸じり部の前記外面部の幅より広い前記アルミテープを用いて、前記剥離紙から前記アルミテープを剥し、前記剥離紙を残して前記アルミテープのみをカットし、前記紙カップ本体を回転させ、前記アルミテープの下端部を前記糸じり部の前記外面部の下端からはみ出した状態で前記アルミニウムの上端部を前記糸じり部の前記外面部の上端部全周に渡って圧着して貼り合わせる第１工程と、
前記紙カップ本体を回転させた状態で、圧着ローラーを使用するとともに糸じり部の内面側に受けローラーを設け、前記糸じり部の前記外面部の上端部に貼り合わされた前記アルミテープを前記糸じり部の前記外面部全体に圧着して貼り合わせながら、前記糸じり部の前記外面部の下端からはみ出した状態の前記アルミテープの下端部を中心方向に倒し込む第２工程と、
前記紙カップ本体を回転させた状態で、前記糸じり部の前記外面部の下端からはみ出した状態の前記アルミテープの下端部を前記糸じり部の下端部に貼り合せる第３工程とからなることを特徴とする電子レンジ用紙カップの製造方法。
【発明の詳細な説明】
【０００１】
【発明の属する技術分野】
本発明は、電子レンジで使用する紙カップの製造方法に関するものである。
【０００２】
【従来の技術】
従来より、自動販売機などで熱い飲料用、即席食品用などに紙カップが広く使用されている。また、一般的ではないものの、飲料や惣菜などの入った紙カップを直接電子レンジを利用し、加熱調理することも行なわれている。
しかしながら、一般形状の紙カップに内容物を入れて電子レンジで加熱調理した場合、紙カップの底の糸じり部に焦げを生じる場合があるという問題がある。この問題を解決するために、特開平１１−１１５４２号公報において、糸じり部にアルミニウム層を有するテープを貼着したことを特徴とする電子レンジ用紙カップが開示されている。実際に、糸じり部にアルミニウム層を有するテープを貼着する方法は、糸じり部の焦げを防ぐ方法として有効である。
【０００３】
【発明が解決しようとする課題】
しかしながら、紙カップの糸じり部の外面部にアルミニウム層を有するテープを貼着する方法としては、紙カップを成形する前のブランクの状態かあるいは紙カップを成形した後に貼り合せるが、いずれの場合でも、紙カップの胴部はテーパー状となっており、そのテーパー状の紙カップの胴部の糸じり部の外面部に帯状のテープを貼着するには、湾曲したテープを作製して貼り合せる必要があり、実際には、このような湾曲したテープを作製することは、生産性、コスト高などの点から困難であるという問題がある。
【０００４】
本発明は、成形後のテーパー状の紙カップの糸じり部の外面部および下端部に直線状のテープを巻き付けて貼着する方法により、電子レンジで加熱調理した時に、焦げを発生させることのない電子レンジ用紙カップの製造方法を提供する。
【０００５】
【課題を解決するための手段】
上記のような課題を解決すべく検討した結果、本発明は、胴部材と底部材とからなり、上方を開口した逆円錐台形状の紙カップ本体の糸じり部の外面部および下端部にアルミテープを貼着して電子レンジ用紙カップを製造する方法であって、前記アルミテープは、少なくともアルミニウム層、最内層の粘着剤層からなり、かつ、該粘着剤層には剥離紙が貼り合わされており、前記糸じり部の前記外面部の幅より広い前記アルミテープを用いて、前記剥離紙から前記アルミテープを剥し、前記剥離紙を残して前記アルミテープのみをカットし、前記紙カップ本体を回転させ、前記アルミテープの下端部を前記糸じり部の前記外面部の下端からはみ出した状態で前記アルミニウムの上端部を前記糸じり部の前記外面部の上端部全周に渡って圧着して貼り合わせる第１工程と、前記紙カップ本体を回転させた状態で、圧着ローラーを使用するとともに糸じり部の内面側に受けローラーを設け、前記糸じり部の前記外面部の上端部に貼り合わされた前記アルミテープを前記糸じり部の前記外面部全体に圧着して貼り合わせながら、前記糸じり部の前記外面部の下端からはみ出した状態の前記アルミテープの下端部を中心方向に倒し込む第２工程と、前記紙カップ本体を回転させた状態で、前記糸じり部の前記外面部の下端からはみ出した状態の前記アルミテープの下端部を前記糸じり部の下端部に貼り合せる第３工程とからなることを特徴とする電子レンジ用紙カップの製造方法である。
【０００６】
本発明の電子レンジ用紙カップの製造方法によれば、テーパー状の紙カップの胴部の下端部に直線状のテープを用いて巻き付けて貼着することができ、糸じり部の外面部および下端部をアルミニウム層を有するテープで覆うことによって、電子レンジで加熱調理した時に、焦げを発生させることのない電子レンジ用紙カップを得ることができる。
【０００７】
【発明の実施の形態】
以下に、図面を参照しながら、本発明について、さらに詳しく説明する。図１は、従来の紙カップを示す一部切り欠け断面図である。図２は、本発明による電子レンジ用紙カップの製造方により製造した電子レンジ用紙カップの一実施例を示す一部切り欠け断面図である。図３は、本発明による電子レンジ用紙カップの製造方により製造した電子レンジ用紙カップの不十分な形状の一実施例を示す一部切り欠け断面図である。図４は、本発明による電子レンジ用紙カップの製造方の第１工程の主要部分を示す概略図である。図５は、本発明による電子レンジ用紙カップの製造方の第２工程の主要部分を示す概略図である。図６は、本発明による電子レンジ用紙カップの製造方の第３工程の主要部分を示す概略図である。
【０００８】
一般的な紙カップは、図１に示すように、底部材２の外周辺部を下方へ屈曲し、その屈曲部５を挟んで胴部材１の下端部を内側に折り込み、加熱圧着して接合して形成されている。この底部材２の屈曲部５を挟んで折り込んだ部分を糸じり部４と称し、底部を上げ底にしている。この糸じり部４の一部が、電子レンジ内で畜熱し、焦げとなる。
【０００９】
本発明の電子レンジ用紙カップの製造方法により製造された電子レンジ用紙カップＡは、図２に示すように、紙カップ本体１０の胴部１の下端部である糸じり部４の外面部６および下端部７にアルミニウム層を有するアルミテープ８を貼着した形状である。
【００１０】
紙カップ本体１０は、一般的な糸じり部４を有する形状のものであり、使用する材料の構成は、紙を主強度材とし、最内層に熱可塑性樹脂を有することを基本としている。例えば、紙層／ポリエチレン樹脂層、ポリエチレン樹脂層／紙層／ポリエチレン樹脂層、発泡ポリエチレン樹脂層／紙層／ポリエチレン樹脂層、ポリプロピレン／紙／ポリプロピレン、紙／ポリエチレン／アルミニウム／ポリエチレン樹脂層、ポリエチレン樹脂層／紙層／ポリエチレン樹脂層／アルミニウム層／ポリエチレン樹脂層などが挙げられる。主強度材となる紙としては、紙カップ成形適性の良いカップ原紙を使用することが好ましい。坪量は、とくに限定されないが、紙カップ成形適性上、１５０〜３００ｇ／ｍ2 の範囲がより好ましい。
【００１１】
最内層に使用する熱可塑性樹脂は、内容物の保護、特に液状の物質を入れても洩れない機能、また、熱シールにより胴部の貼り合わせ、そして胴部と底部の接着を可能にする機能を持っている必要がある。具体的には、ポリエチレン、ポリプロピレン、ポリエステル、エチレン・酢酸ビニル共重合体などが挙げられる。厚さとしては、１５〜６０μｍの範囲が好ましい。これらの熱可塑性樹脂は、押し出し加工あるいはラミネート加工によって、最内層に形成される。
【００１２】
本発明の電子レンジ用紙カップの製造方法において用いられるアルミテープ８は、少なくとも１層にアルミニウム層を含んでいる。このアルミニウム層の厚さは５μｍ以上が必要である。また、最内層は、紙カップ本体の糸じり部４の内面部６あるいは外面部７と貼着するために粘着剤層８ａにする。そして、使用前には、粘着剤層８ａを保護する剥離紙９を貼り合せている。アルミテープ８の構成は、例えば、延伸ポリプロピレン層／アルミニウム層／粘着剤層、ポリエチレンテレフタレート層／アルミニウム層／粘着剤層などがある。
【００１３】
このアルミテープ８を糸じり部４の外面部６が露出することなく糸じり部４の下端まで貼着する必要がある。図３に示すように、糸じり部４の外面部６の一部が露出して貼着された場合には、この露出した部分に焦げが生じやすくなる。
【００１４】
本発明の電子レンジ用紙カップの製造方法は、あらかじめ紙カップ本体１０を作製し、その糸じり部４の外面部６および下端部７にアルミテープ８を貼着する方法である。従って、紙カップ本体１０の製造は、従来の製造方法で行うことができる。また、アルミテープ８は、糸じり部４の外面部６の幅より広いものを用いている。
【００１５】
最初の第１工程（Ｓ−１）において、図４−ａに示すように、まず、アルミテープ８に貼り合わせてある剥離紙９を剥がし、粘着剤層８ａを露出させる。
【００１６】
つぎに、剥離紙９を残してアルミテープ８のみをカッターでカットする。カットするアルミテープ８の長さは、紙カップ本体１０の糸じり部４の外面部６の上端の外周より１５〜２５ｍｍ長くする。
【００１７】
つづいて、圧着ローラーＲ１により、アルミテープ８の粘着剤層８ａを糸じり部４の外面部６に圧着して貼り合せる。この時、紙カップ本体１０を回転させて圧着ローラーＲ１を押さえ付けたままとすることにより、糸じり部４の外面部６の上端部全周に渡ってアルミテープ８の上端部を貼り合せることができる。しかしこの段階では、図４−ｂに示すように、アルミテープ８は紙カップ本体１０の糸じり部４の外面部６の上部のみで貼り合わされており、テーパー部分に沿って糸じり部４の外面部６全面に貼り合わされた状態ではない。また、この時、アルミテープ８は糸じり部４の外面部６の下端より２〜３ｍｍはみ出した状態とする。
【００１８】
つぎの第２工程（Ｓ−２）に移動し、そこで最初の第１工程において貼り合わされたアルミテープ８上に、図５−ａに示すように、フリーに回転する圧着ローラーＲ２が押し付けられる。この圧着ローラーＲ２のテーパー角度は紙カップ本体１０の糸じり部４の外面部６のテーパー角度と同一としているため、アルミテープ８は糸じり部４の外面部６全面に圧着される。その際、圧着ローラーＲ２の圧が逃げないように、糸じり部４の内面側にフリーに回転する受けローラーＲ３を設けている。また、圧着ローラーＲ２の上端には鍔部を設け、図５−ｂに示すように、糸じり部４の外面部６からはみ出している部分を中心方向に倒し込んでいる。
【００１９】
さらにつぎの第３工程（Ｓ−３）に移動し、そこで水平方向の軸を中心にフリーに回転できる段付きローラーＲ４で、図６−ａに示すように、回転している紙カップ本体１０の糸じり部４の外面部６に貼着されているアルミテープ８を圧着しながら、図６−ｂに示すように、糸じり部４の外面部６の下端からはみ出したアルミテープ８を完全に糸じり部４の下端部７に貼り合せ、アルミテープ８を紙カップ本体１０の糸じり部４の外面部６および下端部７に完全に貼り合せることができる。
【００２０】
以上の製造工程により、糸じり部４の外面部６および下端部７にアルミテープ８が貼着された電子レンジで使用しても糸じり部４に焦げを生じない電子レンジ用紙カップを製造することができる。
【００２１】
つぎに、本発明の電子レンジ用紙カップの製造方法よって製造した電子レンジ用紙カップの具体例をあげている。、
【００２２】
胴部材１の材料として、表面からカップ原紙２８０ｇ／ｍ2／ポリエチレン樹脂層２０μｍの構成の材料を使用し、底部材２の材料として、表面からポリエチレン樹脂層２０μｍ／カップ原紙２２０ｇ／ｍ2の構成の材料を使用し、まず、一般的な紙カップと同様の製造工程で満注容量５００ｃｃの紙カップ本体１０を作成した。口径を１００ｍｍ、高さを１１０ｍｍ、糸じり部の外径を６６ｍｍ、糸じり部４の外面部６の幅を１０ｍｍとした。
【００２３】
つぎに、材料構成が表面からアルミニウム層２０μｍ／紙層１３５ｇ／ｍ2／粘着剤層５０μｍのアルミテープ８の粘着剤層８ａ側に剥離紙９を貼り合わせたもので、幅が１２ｍｍで長さが２００ｍ巻きのものを使用した。
【００２４】
この紙カップ本体１０とアルミテープ８を使用して、上記の工程において、紙カップ本体１０の糸じり部４の外面部６および下端部７にアルミテープ８を貼着し、電子レンジで使用しても糸じり部に焦げを生じない電子レンジ用紙カップＡを製造することができた。
【００２５】
【発明の効果】
本発明の電子レンジ用紙カップの製造方法によれば、テーパー状の紙カップの胴部の糸じり部の外面部に直線状のテープを用いて巻き付けて貼着することができ、糸じり部の外面部および下端部をアルミニウム層を有するテープで覆うことによって、電子レンジで加熱調理した時に、焦げを発生させることのない電子レンジ用紙カップを得ることができる。
【図面の簡単な説明】
【図１】従来の紙カップを示す一部切り欠け断面図である。
【図２】本発明による電子レンジ用紙カップの製造方により製造した電子レンジ用紙カップの一実施例を示す一部切り欠け断面図である。
【図３】本発明による電子レンジ用紙カップの製造方により製造した電子レンジ用紙カップの不十分な形状の一実施例を示す一部切り欠け断面図である。
【図４】本発明による電子レンジ用紙カップの製造方の第１工程の主要部分を示す概略図である。
【図５】本発明による電子レンジ用紙カップの製造方の第２工程の主要部分を示す概略図である。
【図６】本発明による電子レンジ用紙カップの製造方の第３工程の主要部分を示す概略図である。
【符号の説明】
Ａ    電子レンジ用紙カップ
Ｐ    一般紙カップ
Ｒ１  圧着ローラー
Ｒ２  圧着ローラー
Ｒ３  受けローラー
Ｒ４  圧着ローラー
１    胴部材
２    底部材
３    カール部
４    糸じり部
５    屈曲部（底部材）
６    外面部（糸じり部）
７    下端部（糸じり部）
８    アルミテープ
８ａ  粘着剤層
９    剥離紙
１０    紙カップ本体
【図１】
0004736202.tif 000002
【図２】
0004736202.tif 000003
【図３】
0004736202.tif 000004
【図４】
0004736202.tif 000005
【図５】
0004736202.tif 000006
【図６】
0004736202.tif 000007